(57)【要約】【課題】冷却パイプまたは冷水パイプを冷水タンクに取り付ける際の部品を１種類とすると共に、冷却パイプまたは冷水パイプの取付けの際の底部の位置決めを作業不要とする冷却パイプまたは冷水パイプの取付構造を提供することを目的とする。【解決手段】冷却水が貯留される冷水タンク１を設ける。冷水タンク１内に、冷却水を冷やすための螺旋状の冷却パイプ２、または、前記冷水タンク内に、内部に飲料液が流通される螺旋状の冷水パイプ３を収納する。一対のパイプホルダ４，、８により冷却パイプ２または冷水パイプ３の適所を保持する。この一対のパイプホルダ４、８の取付部７、１１を冷水タンク１上部に取付けられるタンク支持板１４、１８に取付ける。【選択図】　　　　　図２
2004003681.tif 000002
【特許請求の範囲】
【請求項１】
冷却水が貯留される冷水タンクと、この冷水タンク内に収納される、冷却水を冷やすための螺旋状の冷却パイプ、または、前記冷水タンク内に収納される、内部に飲料液が流通される螺旋状の冷水パイプを取付けるための取付構造であって、一対のパイプホルダにより冷却パイプまたは冷水パイプの適所を保持すると共に、この一対のパイプホルダの取付部を冷水タンク上部に取付けられる一対のタンク支持板に取付けるようにしたことを特徴とする冷却パイプまたは冷水パイプの取付構造。
【請求項２】
請求項１記載の冷却パイプまたは冷水パイプの取付構造において、一対のパイプホルダの連結部のいずれか一方を上方に立上げて位置決部とし、この位置決部により冷却パイプまたは冷水パイプの螺旋部の位置決めを行うようにしたことを特徴とする冷却パイプまたは冷水パイプの取付構造。
【発明の詳細な説明】
【０００１】
本発明は、冷水タンク内の冷却水を冷却する冷却パイプまたは、冷却された飲料液を取り出す冷水パイプの取付構造に関する。
【０００２】
【従来技術】
従来、水等の飲料液を冷却して取出すことのできる飲料冷却装置が知られている。この飲料冷却装置は、一般的に、飲料を冷却するための冷水タンクと、この、冷水タンクに供給される冷媒を低温化するための冷却機構部分とから構成されている。そして、水等の冷却水が貯留される冷水タンクは、壁体が断熱性を有する合成樹脂等で形成され、その内部に、冷媒ガスを循環させるための冷却パイプ、冷却対象となる飲料液を循環流動させて取り出す冷水パイプが収納されている。通常これら、冷却パイプおよび冷水パイプは螺旋状の形態を有している。そして、冷却パイプは冷水タンクの側壁近くに配設され、冷水パイプは冷却パイプの内側に配設されている。また、これら、冷却パイプ及び冷水パイプの位置関係は飲料冷却装置の性能、形状、大きさによっては逆に配置されるものも存在している。一方、冷却機構は、冷媒ガスを圧縮して高圧化する圧縮機、及び高温高圧にした冷媒ガスを放熱させて凝縮する凝縮機を有している。そして、冷却機構で凝縮した冷媒ガスを冷却パイプ内に送り込み、急激に減圧膨張させることにより、その蒸発潜熱で吸熱現象を生起させる。その結果、冷水タンク内に貯留された冷却液を０度近くまでに冷却し、冷水パイプに送り込んだ飲料を、循環流動される間に急速冷却させて取り出すようになっている。
【０００３】
ところで、冷水タンクの側壁に沿って配設される冷却パイプは、従来、特開２００２−１３８９５号公報に記載されているように取付けられている。即ち、図１乃至図３に示されるようなパイプホルダ５を立設する。このパイプホルダ５は、平面視形状がＶ字形をした本体部６に、冷却パイプ１０と嵌合し得る嵌合凹部６ａを切欠形成すると共に、底部７に長孔８を形成したものであって、図３に示すように、嵌合凹部６ａを螺旋状の冷却パイプ１０へ内側から嵌合させたのち、底部７の長孔８を冷水タンク２の底壁３に設けた支持突起４に嵌合させて、パイプホルダ５の左右、奥行き方向の位置決めをしている。また、冷却パイプ１０の上部はブラケット９で保持させ上下方向の位置決めを行うようになっている。
【０００４】
【発明が解決しようとする課題】
しかし、このような従来の特開２００２−１３８９５号公報に記載された冷却パイプ１０の取付構造は、冷却パイプ１０を保持させたパイプホルダ５は、パイプホルダ５の底部７に形成した長孔８を、冷水タンク２の底壁３に設けた支持突起４に嵌合させると共に、上部は冷却パイプ１０をブラケット９で保持させるようにしているため、冷却パイプ１０の取り付けに必要な部品が上下２種類必要になり、部品点数が多くなる。また、特に大きな飲料冷却装置の冷水タンク１の底部にパイプホルダ５を介して冷却パイプ１０を取り付ける際に、左右、奥行き方向の位置決め作業が困難であった。
【０００５】
本発明は、このような点に鑑みなされたもので、冷却パイプまたは冷水パイプを冷水タンクに取付ける際の部品を１種類とすることができ部品点数を減少させられると共に、冷却パイプまたは冷水パイプの取付けの際の底部の位置決めを不要とすることにより取付け作業が容易となる冷却パイプまたは冷水パイプの取付構造を提供することを目的とする。
【０００６】
【課題を解決するための手段】
請求項１記載の冷却パイプまたは冷水パイプの取付構造は、冷却水が貯留される冷水タンクと、この冷水タンク内に収納される、冷却水を冷やすための螺旋状の冷却パイプ、または、前記冷水タンク内に収納される、内部に飲料液が流通される螺旋状の冷水パイプを取付けるための取付構造であって、一対のパイプホルダにより冷却パイプまたは冷水パイプの適所を保持すると共に、この一対のパイプホルダの上辺部を冷水タンク上部に取付けられる一対のタンク支持板に取付けるようにしたものである。
【０００７】
そして、この構成により、冷却パイプまたは冷水パイプを冷水タンクに取り付ける際の部品を１種類とすることができ部品点数が減少し経済的である。また、冷却パイプまたは冷水パイプの取り付けの際に、底部の位置決めを不要とするため取付け作業が容易となる。
【０００８】
請求項２記載の冷却パイプまたは冷水パイプの取付構造は、請求項１記載の冷却パイプまたは冷水パイプの取付構造において、一対のパイプホルダの連結部のいずれか一方を上方に立上げて位置決片とし、この位置決片により冷却パイプまたは冷水パイプの螺旋部の位置決めを行うようにしたものである。
【０００９】
そして、この構成により請求項１記載の効果に加えて、冷却パイプまたは冷水パイプの螺旋部が位置決めされ螺旋部の横揺れが防止される。
【００１０】
【発明の実施の形態】
以下、本発明の一実施の形態を図面を参照して説明する。
【００１１】
【実施例】
図１及び図２に概略構成を示すように、１は冷水タンクで、この冷水タンク１は、合成樹脂等で形成され上方を開放した箱形形状に形成されると共に、内部に水等の冷却水が貯留されるようになっている。その冷水タンク１の内部外側に位置して、冷媒ガスを循環させ冷却水を冷却させるための螺旋状の冷却パイプ２と、その冷却パイプ２の内側に冷却水により飲料液を冷却させ取り出す螺旋状の冷水パイプ３が収納されている。
【００１２】
４はパイプホルダ左で、このパイプホルダ左４は図３（Ａ）に示されているように、本体部５、下部に連結片６及び上部に取付片７とから構成されており、本体部５には冷却パイプ２の螺旋部の数に見合う多数の嵌合凹部５ａが切欠形成され、本体部５、連結部６及び取付部７には夫々、ネジ孔５ｂ、ネジ孔６ａ、ネジ孔７ａが夫々設けられている。また、８はパイプホルダ右で、このパイプホルダ右８は、図３（Ｂ）に示されているように、本体部９、下部に連結部１０及び上部に取付部１１とから構成されており、本体部９には冷却パイプ２の螺旋部の数に見合う多数の嵌合凹部９ａが切欠形成され、本体部９、連結部１０及び取付部１１には夫々、ネジ孔９ｂ、貫通孔１０ａ、ネジ孔１１ａが設夫々けられている。また、連結部１０には冷水パイプの螺旋部を位置決めするための位置決部１２が上方に切起こし形成されている。
【００１３】
１３は一対のパイプ固定板で、この固定板１３は図４に示されるように、貫通孔１３ａを有し平板で長方形状に形成され、パイプホルダ左４及び、パイプホルダ右８から冷却パイプ２が外れるのを防止するためのものである。１４はタンク支持板左で、このタンク支持板左１４は図５に示されるように、本体部１５、タンク固定部１６及び外装取付部１７から構成され、本体部１５、固定部１６及び外装取付部１７には夫々貫通孔１５ａ、貫通孔１５ｂ、貫通孔１６ａ及びネジ１７ａが設けられている。１８はタンク支持板右で、このタンク支持板右１８は図５に示されるように、本体部１９、タンク固定部２０及び外装取付部２１から構成され、本体部１９、タンク固定部２０及び外装取付部２１には夫々貫通孔１９ａ、貫通孔１９ｂ、貫通孔２０ａ及びネジ２１ａが設けられている。
【００１４】
次に、本実施の形態の冷却パイプを冷水タンクへ取付ける取付方法を説明する。
【００１５】
まず、図４に示されるように、パイプホルダ左４の多数の嵌合凹部５ａ及び、パイプホルダ右８の多数の嵌合凹部９ａに冷却パイプ２の螺旋部を嵌合させる。次に、パイプホルダ左４の連結部６を下側にし、パイプホルダ右８の連結部１０を上側にして重合させ、ネジによりパイプホルダ右８の連結部１０の貫通孔１０ａを介してパイプホルダ左４の連結部６のネジ孔６ａにネジ止めしてパイプホルダ左４とパイプホルダ右８とを連結固定する。そして、更に一対のパイプ固定板１３をパイプホルダ左４とパイプホルダ右８の嵌合凹部５ａ及び嵌合凹部９ａと、冷却パイプ２の螺旋部との間に下側より挿入し、パイプホルダ左４とパイプホルダ右８の内側より貫通孔１３ａにネジを挿入し、ネジ孔５ｂ及びネジ孔９ｂにネジ止めして冷却パイプ２がパイプホルダ左４及びパイプホルダ右８より外れるのを防止する。
【００１６】
次に、このように、パイプホルダ左４及びパイプホルダ右８により固定された冷却パイプ２は次のように冷水タンク１に取り付けられる。
【００１７】
即ち、図５に示されるように、まず、タンク支持板左１４の本体部１５の貫通孔１５ａにネジを貫通させパイプホルダ左４の取付部７のネジ孔７ａにネジ止めする。同様にタンク支持板右１８の本体部１９の貫通孔１９ａにネジを貫通させパイプホルダ右８の取付部１９のネジ孔１９ａにネジ止めする。これにより、冷却パイプ２はパイプホルダ左４及びパイプホルダ右８を介してタンク支持板左１４及びタンク支持板右１８に夫々固定される。
【００１８】
次にパイプホルダ左４及びパイプホルダ右８を夫々固定したタンク支持板左１４及びタンク支持板右１８は、その固定部１６及び固定部２０がネジにより貫通孔１６ａ及び貫通孔２０ａを介して冷水タンク１の外壁に夫々ネジ止めされ、さらに、本体部１５及び本体部１９においても貫通孔１５ｂ、貫通孔１９ｂを介してネジにより冷水タンク１上壁に取付けられる。したがって、冷水パイプ２は、パイプホルダ左４、パイプホルダ右８及びタンク支持板左１４及びタンク支持板右１８を介して冷水タンク１の上方に吊持されることとなる。
【００１９】
そして、冷水タンク１はタンク支持板左１４及びタンク支持板右１８の外装取付部１７及び外装取付部２１を、その外装取付部１７及び外装取付部２１のネジ孔１７ａ及びネジ孔２１ａを介して図示しない外装に取付けられる。
【００２０】
一方、冷却パイプ２の内側に配置される冷水パイプ３は、冷却パイプ２が冷水タンク１に取付けられた後に、図示しない外装に取り付けられる。この時冷水パイプ３の螺旋部はパイプホルダ右８の位置決片１２の外縁部により位置決めされ、横揺れが防止される。
【００２１】
以上のように、冷却パイプ２の取付けに際しては、一対のパイプホルダ４、８に冷却パイプ２を固定し、この状態でパイプホルダ４、８の上部に設けた固定部７、１１を一対のタンク支持板７、１１に固定し、このタンク支持板７、１１を冷水タンク１の上壁に取り付けるようにしたため、冷却パイプ２を冷水タンク１に取り付ける際にその取付け作業がすべて冷水タンクの上方で行われ、パイプホルダ４、８を冷水タンク１の下部での横、奥行き方向の位置決め作業が不要となり、作業性が向上する。また、冷却パイプ２の上下方向の位置決めは、一対のパイプホルダ４、８がタンク支持板７、１１に固定されているため、冷却パイプ２の上下方向が位置決めされる。このように、冷却パイプ２の横、奥行き方向の位置決め及び上下方向の位置決めをタンク支持板７、１１の１種類の部品で行うことができ経済的である。
【００２２】
なお、本実施形態では、冷却パイプを外側に、冷水パイプを内側に配置した冷却パイプの取付構造について説明したが、冷水パイプを外側に冷却パイプを内側に配置したものものにも適用しても良い。さらに、冷水パイプ３の螺旋部の横揺れ防止のための位置決片１２をパイプホルダ右８に設けたもので説明したがパイプホルダ左４に設けても良い。
【００２３】
【発明の効果】
請求項１記載の冷却パイプまたは冷水パイプの取付構造によれば、冷却パイプまたは冷水パイプを冷水タンクに取り付ける際の部品を１種類とすることができ部品点数が減少し経済的である。また、冷却パイプまたは冷水パイプの取付けの際に、底部の位置決めを不要とするため取付け作業が容易となる。
【００２４】
請求項２記載の冷却パイプまたは冷水パイプ取付構造によれば、請求項１記載の効果に加えて、冷却パイプまたは冷水パイプの螺旋部が位置決めされ螺旋部の横揺れが防止される。
【図面の簡単な説明】
【図１】本発明の一実施形態を示す冷却パイプの取付構造を説明する概略平面図である。
【図２】同上の冷却パイプの取付構造を説明する概略側面図である。
【図３】同上パイプホルダの斜視図を示し、図（Ａ）はパイプホルダ左、図（Ｂ）はパイプホルダ右である。
【図４】同上冷却パイプをパイプホルダに固定した状態を説明する斜視図である。
【図５】同上冷却パイプを冷水タンクに取付ける方法を説明する分解斜視図である。
【符号の説明】
１　　冷水タンク
２　　冷却パイプ
３　　冷水パイプ
４　　パイプホルダ左
８　　パイプホルダ右
１４　　タンク支持板左
１８　　タンク支持板右
【図１】
2004003681.tif 000003
【図２】
2004003681.tif 000004
【図３】
2004003681.tif 000005
【図４】
2004003681.tif 000006
【図５】
2004003681.tif 000007